(57)【要約】      （修正有）【課題】ＬＥＤランプを点灯させた際に放出される熱エネルギーを住宅及び商業用途に広く運用することができる照明放熱エネルギー吸収機構を提供する。【解決手段】照明放熱エネルギー吸収機構は、前後孔ケーシング１２を含む。前後孔ケーシング１２内には、水圧及び出水を制御することができる湾曲管が装着される。湾曲管の前端が前孔から一方の接続管４１２に接続され、湾曲管の後端が後孔から他方の接続管４１２に接続されることによって管路が構成される。前後孔ケーシング１２の表面には、ＬＥＤランプパネル１１が装着される。通電時にＬＥＤランプパネル１１から放出される熱は、前後孔ケーシング１２から湾曲管に伝達される。これにより、湾曲管に水が流入すると、熱を吸収し、その後、温水又は熱水となって流出する。【選択図】図３
0003188978.tif 000002
【実用新案登録請求の範囲】
【請求項１】
前後孔ケーシングを備える照明放熱エネルギー吸収機構であって、
前記前後孔ケーシング上には、ＬＥＤランプパネルが装着され、前記前後孔ケーシングの前後には、孔が設けられる上、前記孔の左右には、ねじ穴が設けられ、前記ねじ穴には、前ジョイントと後ジョイントとが螺設され、前記前後孔ケーシング内には、水圧及び出水を制御可能な湾曲管が装着され、前記湾曲管の平面は、前記ＬＥＤランプパネルの背面に貼合され、前記湾曲管の前端には、前記前ジョイントが接続され、前記湾曲管の後端には、前記後ジョイントが接続され、前記前後孔ケーシングのＬＥＤが装着されていない側の板面辺縁には、中間にケーシング固定孔を有するケーシング固定片が装着され、前記前後孔ケーシングが装着部に装着されると、前記後ジョイントに一方の接続管が接続され、前記前ジョイントに他方の接続管が接続され、水源からの水が前記一方の接続管から前記湾曲管に流入すると、前記湾曲管内の水は、前記ＬＥＤランプパネルから放出される熱を吸収して温水又は熱水となり、前記他方の接続管から流出することを特徴とする照明放熱エネルギー吸収機構。
【請求項２】
前記ＬＥＤランプパネルは、直接、或いは、絶縁放熱接着剤、放熱ペーストなどを介して間接的に、接着又は螺設により、ケーシング上、金属板上、繊維板上、セラミック板上に装着され、前記ＬＥＤランプパネルは、ＡＣ１１０Ｖ〜ＡＣ２２０Ｖ又はＤＣ３Ｖ〜ＤＣ２５０Ｖの電圧によって駆動されることを特徴とする請求項１に記載の照明放熱エネルギー吸収機構。
【請求項３】
前記湾曲管が、直接、或いは、金属板、繊維板を介し、前記ＬＥＤランプパネルが反対側に装着された金属板又は繊維板上に装着されることにより、水と電気とが分離されることを特徴とする請求項１に記載の照明放熱エネルギー吸収機構。
【請求項４】
前記接続管は、金属又はプラスチック材料からなり、前記接続管には、水源が接続され、前記水源の水が湾曲管内に流入することにより、前記水源の水は、前記ＬＥＤランプパネルから放出されて前記金属板又は繊維板から前記湾曲管に伝達された熱を吸収し、温水又は熱水となって流出され、金属板、繊維板、セラミック板の段付け加工により、前記ＬＥＤランプパネルに漏水し、通電しなくなるのが防止されることを特徴とする請求項１に記載の照明放熱エネルギー吸収機構。
【請求項５】
前記湾曲管は、各方向に折り曲げられたり、支管を介して組み合わされたりして構成され、少なくとも１つの流出口を有することを特徴とする請求項１に記載の照明放熱エネルギー吸収機構。
【請求項６】
前記ＬＥＤランプパネルは、必要に応じて熱のみを発生させたり、パッケージ技術により、ＬＥＤの発光を所望の輝度まで低減させることを特徴とする請求項１に記載の照明放熱エネルギー吸収機構。
【請求項７】
前記照明放熱エネルギー吸収機構は、必要に応じ、商店、住宅、オフィス、校内、水族館、養殖池、公共施設、マンション、商業施設、飲用水、交通などに応用されることを特徴とする請求項２に記載の照明放熱エネルギー吸収機構。
【考案の詳細な説明】
【技術分野】
【０００１】
本考案は、照明放熱エネルギー吸収機構に関し、特に、ＬＥＤ熱エネルギー運用装置として利用され、前後孔ケーシング内に、ＬＥＤランプパネルから放出される熱に対応する形状を有する上に、水圧及び出水を制御することができる湾曲管が装着されることにより、照明機能、水加熱機能、水温保持機能及び水温調節機能を兼ね備える照明放熱エネルギー吸収機構に関する。
【背景技術】
【０００２】
照明、シャワーのための温水及び冬季の飲用温水を確保したり、暖かく過ごせるようにしたりするために、各種の製品が研究開発され続けている。それらの製品中、住宅及び商業用のＬＥＤ照明及び電熱に関する製品は、多種多様であり、古い製品が淘汰され、新たな製品が登場し続けている。また、市場においては、多種多様のＬＥＤ照明ランプが販売されている。  
一般に、従来のＬＥＤ照明ランプにおいては、発生する熱が空気中に放熱され、再利用されないため、空気の温度が上昇するだけである。即ち、本来環境にやさしいものが、環境を汚染する一因となっている。また、一般に、電気温水器は、消費電力の多い装置が運用され、お湯を沸かす機能しか有さない。また、水族館では、ＬＥＤ照明が使用される上、水温を調整するために、電熱管も使用されるため、多くの電力が使用される。また、トイレで手を洗う際にお湯を使う場合、洗面台に温水器を装着する必要がある。 
このように、従来技術においては、不便である上、エネルギーが浪費される問題があった。 
先行技術としては、例えば特許文献１のようなＬＥＤ照明放熱構造が開示されている。
【先行技術文献】
【特許文献】
【０００３】
【特許文献１】実用新案登録第３１６９６７４号公報
【考案の概要】
【考案が解決しようとする課題】
【０００４】
本考案の主な目的は、ＬＥＤランプを点灯させた際に放出される熱エネルギーを住宅及び商業用途に広く運用することができることにより、省エネ及び二酸化炭素排出削減を実現し、新たな方法で環境保護を実現することができる照明放熱エネルギー吸収機構を提供することにある。
【課題を解決するための手段】
【０００５】
上述の課題を解決するために、本考案の一態様の照明放熱エネルギー吸収機構は、前後孔ケーシングを備える照明放熱エネルギー吸収機構であって、前記前後孔ケーシング上には、ＬＥＤランプパネルが装着され、前記前後孔ケーシングの前後には、孔が設けられる上、前記孔の左右には、ねじ穴が設けられ、前記ねじ穴には、前ジョイントと後ジョイントとが螺設され、前記前後孔ケーシング内には、水圧及び出水を制御可能な湾曲管が装着され、前記湾曲管の平面は、前記ＬＥＤランプパネルの背面に貼合され、前記湾曲管の前端には、前記前ジョイントが接続され、前記湾曲管の後端には、前記後ジョイントが接続され、前記前後孔ケーシングのＬＥＤが装着されていない側の板面辺縁には、中間にケーシング固定孔を有するケーシング固定片が装着され、前記前後孔ケーシングが装着部に装着されると、前記後ジョイントに一方の接続管が接続され、前記前ジョイントに他方の接続管が接続され、水源からの水が前記一方の接続管から前記湾曲管に流入すると、前記湾曲管内の水は、前記ＬＥＤランプパネルから放出される熱を吸収して温水又は熱水となり、前記他方の接続管から流出する。
【考案の効果】
【０００６】
本考案の照明放熱エネルギー吸収機構は、放熱材料からなる前後孔ケーシングを有する。前後孔ケーシングの表面には、ＬＥＤランプパネルが装着される。また、前後孔ケーシング内には、湾曲管が装着される。湾曲管の前端部は、ジョイントを介し、一方の接続管と接続される。湾曲管の後端部は、ジョイントを介し、他方の接続管と接続される。一方の接続管は、水源に接続され、他方の接続管は、蛇口に接続され、出水制御を行うことも可能である。
【０００７】
本考案の照明放熱エネルギー吸収機構を浴室に応用した場合、入浴の際、ＬＥＤ照明を点灯すると、温水を使用することができる。また、レストラン又はホテルに応用した場合、ＬＥＤランプを点灯すると、湯を沸かす際の消費エネルギーを低減することができる。また、水族館又は養殖業に応用した場合、水温を制御して水温低下を防止することができる。また、給水器に運用すると、冬季でも飲用温水を確保することができる。また、洗面台に装着すると、冬季でも温水で手を洗うことができる。また、椅子又は床に運用すると、冬季でも暖かく過ごせる。
【図面の簡単な説明】
【０００８】
【図１】本考案の一実施形態による照明放熱エネルギー吸収機構を示す斜視図である。
【図２】本考案の一実施形態による照明放熱エネルギー吸収機構を示す分解斜視図である。
【図３】本考案の一実施形態による照明放熱エネルギー吸収機構を連結した状態を示す斜視図である
【図４】本考案の一実施形態による照明放熱エネルギー吸収機構を浴室に装着した状態を示す斜視図である。
【図５】本考案の一実施形態による照明放熱エネルギー吸収機構を水槽に装着した状態を示す斜視図である。
【図６】本考案の一実施形態による照明放熱エネルギー吸収機構を洗面台に装着した状態を示す斜視図である。
【図７】本考案の一実施形態による照明放熱エネルギー吸収機構のもう１つの実施形態を示す斜視図である。
【考案を実施するための形態】
【０００９】
本考案の照明放熱エネルギー吸収機構の構造及び効果を示す実施形態を図面に沿って詳細に説明する。
【００１０】
図１〜図３を参照する。図１〜図３に示すように、本考案は、照明機能、水加熱機能、水温保持機能及び水温調節機能を兼ね備える照明放熱エネルギー吸収機構を提供するものである。本考案の一実施形態の照明放熱エネルギー吸収機構は、前後孔ケーシング１２を含む。前後孔ケーシング１２の上面には、複数のＬＥＤが搭載されたＬＥＤランプパネル１１が装着される。ＬＥＤランプパネル１１には、電源線１５が接続される。前後孔ケーシング１２の一方の側面には、前孔１９が設けられる。また、前孔１９の左右には、ねじ穴１１１が設けられ、前ジョイント１３が装着される。前ジョイント１３は、ジョイント固定ねじ２２及びジョイント固定ナット２３を介し、前孔１９部分に螺設される。前後孔ケーシング１２の他方の側面には、後孔２０が設けられる。後孔２０の左右には、ねじ穴１１１が設けられる。また、ジョイント固定ねじ２２及びジョイント固定ナット２３を介し、後孔２０部分に、後ジョイント１４が螺設される。また、前後孔ケーシング１２内には、湾曲数や管径の大きさなどにより水圧及び出水を制御することができる湾曲管２１が装着される。湾曲管２１は、ＬＥＤランプパネル１１の隔離板に平面が緊密に貼合されることにより、保護される上、吸熱を行う。前後孔ケーシング１２の両側辺には、ケーシング固定片１６が装着される。固定片１６の中間には、ケーシング固定ねじ穴１７が設けられる。前後孔ケーシング１２は、螺着ねじ１８を介し、装着場所に固定される。
【００１１】
第１ユニット：図３を参照する。図３に示すように、本考案の一実施形態の照明放熱エネルギー吸収機構は、接続管４１２及び三叉管４１１を介し、直列接続、並列接続又は直並列接続される。図３において、(Ａ)は並列接続、(Ｂ)は直列接続、(Ｃ)は直並列接続の各実施例を示す。
【００１２】
第２ユニット：図４を参照する。図４に示すように、本考案の照明放熱エネルギー吸収機構は、ＬＥＤ熱エネルギー運用装置として利用され、接続管４１２を介し、ＬＥＤ熱エネルギー運用装置に図示しない水源からの水が流入され、その後、接続管４１２を介し、蛇口５１３に流れる。その後、蛇口５１３から流出した温水は、被覆式水道管５１４を介し、固定台５１２上のシャワーヘッド５１１から流出する。
【００１３】
第３ユニット：図５を参照する。図５に示すように、本考案の照明放熱エネルギー吸収機構は、ＬＥＤ熱エネルギー運用装置として利用され、ＬＥＤ熱エネルギー運用装置用フレーム６１２に、ＬＥＤ熱エネルギー運用装置が固定される。また、吸水モータ６１１が水槽内の水を汲み上げ、接続管４１２を介し、ＬＥＤ熱エネルギー運用装置に水を流す。その後、接続管４１２を介し、温水が濾過装置６１３に流入する。その後、温水は、出水口６１４から水槽に流入する。
【００１４】
第４ユニット：図６を参照する。図６に示すように、本考案の照明放熱エネルギー吸収機構は、ＬＥＤ熱エネルギー運用装置として利用され、鏡台７１１に装着される。接続管４１２を介し、水源からの水がＬＥＤ熱エネルギー運用装置に流入した後、接続管４１２を介し、蛇口７１２から温水が流出する。また、ＬＥＤ熱エネルギー運用装置が作動すると、ＬＥＤから放出される光線が金属の洗面台７１３から天井板に反射するため、空間の照度が高められる。
【００１５】
第５ユニット：図７を参照する。図７に示すように、本考案の照明放熱エネルギー吸収機構は、ＬＥＤ熱エネルギー運用装置として利用され、照明熱エネルギー層８０１が絶縁導熱層８０２に貼合され、絶縁導熱層８０２と吸熱流体層８０３とが一体に構成されることにより、湾曲管２１が形成される。水は、湾曲管２１に流入すると、熱エネルギーを吸収し、その後、貯水タンク８０６に流入する。これにより、貯水タンク８０６に温水を貯留することができる。
【００１６】
本考案の照明放熱エネルギー吸収機構は、産業上に確実に利用することができ、有用なものである。また、本考案により、従来技術における問題を解決することができる上、ユーザ及び消費者の長期に渡る需要を満たすことができる。また、本考案は、照明機能、水加熱機能、水温保持機能及び水温調節機能を兼ね備え、ＬＥＤ等の照明熱エネルギーを効率的に利用可能とするものである。
【００１７】
上述の実施形態は、本考案の具体的な実施形態を示すものであり、本考案を限定するものでなく、本考案の主旨を逸脱しない範囲における変更は、何れも本考案に含まれ、本考案の範囲は、実用新案登録請求の範囲に準ずる。
【符号の説明】
【００１８】
１１  ＬＥＤランプパネル
１２  前後孔ケーシング
１３  前ジョイント
１４  後ジョイント
１５  電源線
１６  ケーシング固定片
１７  ケーシング固定孔
１８  螺着ねじ
１９  前孔
２０  後孔
１１１  ねじ穴
２１  湾曲管
２２  ジョイント固定ねじ
２３  ジョイント固定ナット
２４  ジョイントと湾曲管との接続部
４１１  三叉管
４１２  接続管
５１１  シャワーヘッド
５１２  固定台
５１３  蛇口
５１４  被覆式水道管
６１１  吸水モータ
６１２  ＬＥＤ熱エネルギー運用装置用フレーム
６１３  濾過装置
６１４  出水口
７１１  鏡台
７１２  蛇口
７１３  洗面台
８０１  照明熱エネルギー層
８０２  絶縁導熱層
８０３  吸熱流体層
８０５  保温貯水循環層
８０６  貯水タンク
【図１】
0003188978.tif 000003
【図２】
0003188978.tif 000004
【図３】
0003188978.tif 000005
【図４】
0003188978.tif 000006
【図５】
0003188978.tif 000007
【図６】
0003188978.tif 000008
【図７】
0003188978.tif 000009
【手続補正書】
【提出日】平成25年12月9日(2013.12.9)
【手続補正１】
【補正対象書類名】実用新案登録請求の範囲
【補正対象項目名】全文
【補正方法】変更
【補正の内容】
【実用新案登録請求の範囲】
【請求項１】
前後孔ケーシングを備える照明放熱エネルギー吸収機構であって、
前記前後孔ケーシング上には、ＬＥＤランプパネルが装着され、前記前後孔ケーシングの前後には、孔が設けられる上、前記孔の左右には、ねじ穴が設けられ、前記ねじ穴には、前ジョイントと後ジョイントとが螺設され、前記前後孔ケーシング内には、水圧及び出水を制御可能な湾曲管が装着され、前記湾曲管の平面は、前記ＬＥＤランプパネルの背面に貼合され、前記湾曲管の前端には、前記前ジョイントが接続され、前記湾曲管の後端には、前記後ジョイントが接続され、前記前後孔ケーシングのＬＥＤが装着されていない側の板面辺縁には、中間にケーシング固定孔を有するケーシング固定片が装着され、前記前後孔ケーシングが装着部に装着されると、前記後ジョイントに一方の接続管が接続され、前記前ジョイントに他方の接続管が接続され、水源からの水が前記一方の接続管から前記湾曲管に流入すると、前記湾曲管内の水は、前記ＬＥＤランプパネルから放出される熱を吸収して温水又は熱水となり、前記他方の接続管から流出することを特徴とする照明放熱エネルギー吸収機構。
【請求項２】
前記ＬＥＤランプパネルは、直接、或いは、絶縁放熱接着剤、放熱ペーストなどを介して間接的に、接着又は螺設により、ケーシング上に装着され、前記ＬＥＤランプパネルは、ＡＣ１１０Ｖ〜ＡＣ２２０Ｖ又はＤＣ３Ｖ〜ＤＣ２５０Ｖの電圧によって駆動されることを特徴とする請求項１に記載の照明放熱エネルギー吸収機構。
【請求項３】
前記湾曲管が、直接、或いは、金属板を介し、前記ＬＥＤランプパネルが反対側に装着された金属板又は繊維板上に装着されることにより、水と電気とが分離されることを特徴とする請求項１に記載の照明放熱エネルギー吸収機構。
【請求項４】
前記接続管は、金属又はプラスチック材料からなり、前記接続管には、水源が接続され、前記水源の水が湾曲管内に流入することにより、前記水源の水は、前記ＬＥＤランプパネルから放出されて前記金属板又は繊維板から前記湾曲管に伝達された熱を吸収し、温水又は熱水となって流出され、金属板の段付け加工により、前記ＬＥＤランプパネルに漏水し、通電しなくなるのが防止されることを特徴とする請求項１に記載の照明放熱エネルギー吸収機構。
【請求項５】
前記湾曲管は、各方向に折り曲げられたり、支管を介して組み合わされたりして構成され、少なくとも１つの流出口を有することを特徴とする請求項１に記載の照明放熱エネルギー吸収機構。
【請求項６】
前記ＬＥＤランプパネルは、必要に応じて熱のみを発生させたり、パッケージ技術により、ＬＥＤの発光を所望の輝度まで低減させることを特徴とする請求項１に記載の照明放熱エネルギー吸収機構。